(57)【要約】【課題】  ロープ等によって作業者の身体を拘束することなく屋根上での転倒や転落事故を防止する。【解決手段】  葺板３０のハゼ３１を挟むブロック状ゴム１１と、葺板の平滑面に配する足場ゴム板２０と、ブロック状ゴムと足場ゴム板とを掛け渡す連結材１７とを備える。ブロック状ゴムの下面には溝を整形してあり、この溝によって葺板のハゼの側面を左右から押圧するようにしてある。ブロック状ゴムの下面の溝が、金属製屋根のハゼを左右から押圧して動きにくい状態を作るため、足場ゴム板からの力が連結部材を介してブロック状ゴムに働いても、本考案に係る足場防滑具は動かない。【選択図】    図１
0003121948.tif 000002
【実用新案登録請求の範囲】
【請求項１】
ブロック状ゴムの下面に溝を形成した係着部材と、
葺板の平滑面に当接させる足場ゴム板と、
これらの係着部材および足場ゴム板を掛け渡す連結材とを備えることを特徴とする屋根作業の足場防滑具。
【請求項２】
ブロック状ゴムの溝の表面と足場ゴム板の裏面に、葺板との接触面積を減少させる凹凸を設けることを特徴とする請求項１記載の屋根作業の足場防滑具。
【請求項３】
ブロック状ゴムと足場ゴム板は、粒状のゴムチップを用いて固化成形することを特徴とする請求項２記載の屋根作業の足場防滑具。
【考案の詳細な説明】
【技術分野】
【０００１】
本考案は、屋根のリフォーム等、傾斜した屋根上での作業を行う際の転落事故を防止する足場確保の器具に関する。
【背景技術】
【０００２】
切妻屋根や寄棟屋根など傾斜した屋根上での工事は、つねに転落事故の危険性がある。転落事故を防止するためには、滑りにくい作業靴を用いるのが効果的であるが、滑りにくい靴底をもった作業靴を履いていても急激な体重移動による転倒や転落の危険性は解消しにくい。とくに、金属製の葺板を用いた傾斜屋根上で梯子を上り下りするときや、立ち位置を急いで変えようとするときに、靴底と屋根の接触面積が減少しつつ体重の移動が起きるときに、事故が起きやすい。
【０００３】
屋根作業時の事故をより確実に防止するには、ロープやベルトを使って転落時に作業員の身体が屋根から落下しないようにすることも出来る（特許文献１）。
【特許文献１】特開２００５−１３９８１３号
【考案の開示】
【考案が解決しようとする課題】
【０００４】
特許文献１の問題は、ベルト等を使って身体を拘束すると機敏な動きが拘束される点にある。立ち位置を変える場合も邪魔になるし、作業をする腕や手の邪魔にもなるからである。
【０００５】
そこで、本考案の目的は、作業者の身体を拘束することなく屋根上での転倒や転落事故を防止する点にある。
【課題を解決するための手段】
【０００６】
前記目的を達成するため、請求項１に係る屋根作業の足場防滑具は、葺板のハゼを挟むブロック状ゴムと、葺板の平滑面に配する足場ゴム板と、ブロック状ゴムと足場ゴム板とを掛け渡す連結材とを備える。ブロック状ゴムの下面には溝を整形してあり、この溝によって葺板のハゼの側面を左右から押圧するようにしてある。
【０００７】
かかる構造によれば、ブロック状ゴムの下面の溝が、金属製屋根のハゼを左右から押圧して動きにくい状態を作るため、足場ゴム板からの力が連結部材を介してブロック状ゴムに働いても、本考案に係る足場防滑具は動かない。また作業者は足場ゴム板の上に体重をかけるが、体重をかける対象物はゴム板であるから、その上に乗って体重移動を行っても足下が滑る可能性は非常に少ない。
【０００８】
ブロック状ゴムは、溝をハゼに押圧嵌合させればよいのでビス止めのような煩わしい作業を必要とせず装着でき、また手で上方に引き上げれば簡単に取り外しできる。
【０００９】
請求項２は、ブロック状ゴムの下面の溝と足場ゴム板の裏面に、葺板との接触面積を減少させる凹凸を設けるものである。
【００１０】
かかる構造によれば、葺板が雨雪によって塗れている場合でも、ブロック状ゴムの溝表面や足場ゴム板は摩擦抵抗の度合いを高め、滑りにくい状態を作ることができる。これはタイヤの接地面に凹凸（トレッドパターン）を形成して摩擦抵抗を高めるのと同じである。
【００１１】
請求項３は、ブロック状ゴムと足場ゴム板を、粒状のゴムチップを用いて成形するものである。
【００１２】
請求項２に記載したように、ブロック状ゴムの溝と足場ゴム板の裏面に凹凸があると摩擦抵抗が増して滑りにくくなるのであるが、平滑なゴム材の表面を切削して凹凸を設けるよりも、粒状のゴムチップを用いて固化成形する方が凹凸の密度を高めやすいし、製造コストも抑えることが出来る。粒状のゴムチップは、例えば運動競技場のトラックなどに使用されるもので入手容易であり、これを固化成形したものは十分な耐久性をもつため、ゴムを切削して表面に凹凸を設けるよりも一定水準の品質を保ちつつ製品コストを低減できる。
【考案の効果】
【００１３】
本考案に係る足場防滑具によれば、葺板のハゼにブロック状ゴムの溝を嵌合させることにより、足場ゴム板の滑りを確実に抑えるので、屋根上での作業時の安全な足場を作り出すことが出来る。このため、ベルトやロープによって作業者の身体を拘束するまでもなく、容易に屋根作業時の転倒や転落事故を防止することが可能となる。
【考案を実施するための最良の形態】
【００１４】
図１は、本考案に係る足場防滑具の一実施形態を例示するものである。この足場防滑具は、ブロック状ゴム１１と、平板状の足場ゴム板２０とを備え、ブロック状ゴム１１と足場ゴム板２０とを連結材１７によって掛け渡してなる。
【００１５】
ブロック状ゴム１１は、その劣化防止のため、少なくとも左右の側面と上面とを難錆の金属板１４によって被覆する構造とすることが望ましい。金属板１４としては、例えばアルミニウム板を用いることが出来る。また、錆が生じにくく外気温の変化にも耐える素材であればよいから、難錆の金属板１４に代え、例えばＦＲＰのような剛性のある樹脂素材を用いても良い。
【００１６】
ブロック状ゴム１１は、例えば、粒状のゴムチップを固めて成形する。廃タイヤを再利用したゴムチップのように、粒子径が１〜５ｍｍ程度のゴムチップはブロック状に固めて成形するのも容易であるし、製造コストも安く、耐久性にも優れる等の利点がある。また防滑効果も高まる。
【００１７】
図２に示すように、ブロック状ゴム１１は、葺板３０のハゼ３１の側面を左右から押圧する溝１２を備える。この溝１２は、ハゼ３１を挟むことによりブロック状ゴム１１の滑動を防止し、ブロック状ゴム１１に連結してある足場ゴム板２０の動きを拘束する。
【００１８】
ブロック状ゴム１１が粒状のゴムチップによって固化成形されていると、ハゼ３１の高さや左右幅に応じて、どのように溝１２を切削形成しても、溝１２の表面にはゴムチップの凹凸が露出し、この微小な凹凸がハゼ３１に対するグリップ力を向上させてブロック状ゴム１１の滑りにくさを高める。
【００１９】
溝１２は、葺板３０のハゼ３１の上から押圧して嵌め込む構造をとる。従って、溝１２の左右寸法は、ハゼ３１の左右寸法より若干小さく成形しておき、嵌合時のグリップ力（左右からの押圧力）を確実なものとしておく。溝１２の断面形状は矩形でよい。ハゼ３１の左右幅が上下方向に拡開または収縮する特殊な場合は、溝１２の断面にもテーパ（傾斜）を設けて対応する。
【００２０】
足場ゴム板２０は、人が体重をかけても容易に破損しない程度の肉厚であって、持ち運びや取り外しの時の作業性を損ねない肉厚とすることが望ましい。例えば１０〜２０ｍｍ程度の肉厚があれば、作業者の体重にも耐えるし、可撓性が損なわれず取り外すときの撓みやすさも確保できる。
【００２１】
この足場ゴム板２０は、作業者が片足を乗せることが出来る程度の大きさがあればよい。これを屋根に複数配置しておけば、移動および作業時の足場は確保できる。大きさは、例えば左右１２〜１５ｃｍ、上下方向２５〜３０ｃｍ程度あれば十分である。これより大きくしても、持ち運びや設置撤去の煩わしさが増すだけである。
【００２２】
連結材１７は、例えば、金属製の平板を用い、ブロック状ゴム１１を被覆する金属板１４に一端を固定し、足場ゴム板２０の上面に他端を固定する。金属板１４に対する固定は、例えば溶接による。また、足場ゴム板２０に対する固定は、例えばビス等のネジ固定による。
【００２３】
連結材１７は、ブロック状ゴム１１の支持によって足場ゴム板２０が動かないように両者を掛け渡すものであるから、特に大きな面積を要しない。
【００２４】
以上のような構成によれば、足場ゴム板２０に乗っている作業者が体重移動を行っても、ハゼ３１に嵌合させたブロック状ゴム１１が連結材１７を介して足場ゴム材２０の動きを常に拘束する。足場ゴム材２０は、それ自身の摩擦抵抗によっても動きにくいが、ブロック状ゴム１１の溝１２による支持によっていっそう動きにくい構造となって、作業者のスリップ事故を防止する。
【００２５】
この足場防滑具は、梯子を上り下りするときの事故を防止するよう梯子の上部近傍の屋根面に配置するほか、作業場所にアプローチする道筋に、置き石のように配置する。溝１２をハゼ３１に押し込めば簡単に装着できるので、作業の妨げにはならない。また取り外しも簡単であるから、撤収時の作業効も低下しない。持ち運びも容易であり、繰り返して何度でも使用できるため、工事コストにも影響を与えず作業者の安全を確保できる。
【００２６】
なお、本考案に係る足場防滑具は、この実施形態のものに限定されない。例えば、ブロック状ゴム１１は、左右側面と上面とを難錆の金属板１４によって被覆する旨を説明したが、このような被覆材（１４）は必ずしも必要ではない。ただし被覆材（１４）があった方がブロック状ゴム１１の劣化を防止しやすい。
【００２７】
連結材１７は、必ずしも金属製の平板を用いる必要はない。ブロック状ゴム１１と足場ゴム板２０とを掛け渡すものであれば良いからである。また、連結材１７は、必ずしもブロック状ゴム１１の上面に当接させて固定しておく必要はない。ブロック状ゴム１１の内部に嵌合させて固定することも出来るし、ブロック状ゴム１１の下面に固定しても作用効果はほぼ同じである。
【図面の簡単な説明】
【００２８】
【図１】実施形態に係る足場防滑具を屋根に配置した状態を例示する図である。
【図２】実施形態に係る足場防滑具を示す断面図である。
【符号の説明】
【００２９】
１１  ブロック状ゴム
１２  溝
１４  金属板
１７  連結材
２０  足場ゴム板
３０  葺板
３１  ハゼ
【図１】
0003121948.tif 000003
【図２】
0003121948.tif 000004